(57)【要約】【課題】  本発明は、三次元顔面成形体への印刷方法及び印刷用治具に関し、特に撮像装置で撮像された顔面像をコンピュータとインクジェット印刷機を介して三次元顔面成形体に印刷するシステムにおいて、三次元顔面成形体に着実に印刷する方法とその印刷治具に関するものである。【解決手段】  撮像装置で撮像された顔面像をコンピュータとインクジェット印刷機を介して三次元顔面成形体に印刷するシステムにおいて、三次元顔面成形体の表面を微細な粗面に加工し、インクの密着性を向上することを特徴とし、三次元顔面成形体の成形用樹脂基材に０．０１乃至５０％のシリカ微粉末を混入して樹脂成形し、印刷に供することを特徴とし、または三次元顔面成形体の顔形成型金型を微細な粗面として樹脂成形し、印刷に供することを特徴とする三次元顔面成形体印刷方法及び印刷治具を提供する。【選択図】図２
2008062634.tif 000002
【特許請求の範囲】
【請求項１】
撮像装置で撮像された顔面像をコンピュータとインクジェット印刷機を介して三次元顔面成形体に印刷するシステムにおいて、三次元顔面成形体の表面を微細な粗面に加工し、インクの密着性を向上することを特徴とする三次元顔面成形体印刷方法。
【請求項２】
三次元顔面成形体の成形用樹脂基材に０．０１乃至５０％のシリカ微粉末を混入して樹脂成形し、印刷に供することを特徴とする請求項１記載の三次元顔面成形体印刷方法。
【請求項３】
三次元顔面成形体の顔形成型金型を微細な粗面として樹脂成形し、印刷に供することを特徴とする請求項１記載の三次元顔面成形体印刷方法。
【請求項４】
撮像装置で撮像された顔面像をコンピュータとインクジェット印刷機を介して三次元顔面成形体に印刷するシステムにおいて、内面の突起部を治具に設置をし、該治具に三次元顔面成形体の下面突起部を挿入させることのできる三次元顔面成形体の印刷用治具。
【請求項５】
三次元顔面成形体の下面突起部は、治具部に突設した内面の孔部に、方向性を規制されてセッティングされるように構成したことを特徴とする請求項４に記載された三次元顔面成形体の印刷用治具。
【請求項６】
印刷された三次元顔面成形体を嵌着部に嵌着されたキャラクター本体の底部には凹部が形成されており、該凹部に印刷用治具の突起部が挿入されて、該キャラクターが印刷用治具の上部に固定載置されるように構成したことを特徴とする請求項４に記載された三次元顔面成形体の印刷用治具。
【発明の詳細な説明】
【技術分野】
【０００１】  本発明は、三次元顔面成形体への印刷方法及び印刷用治具に関し、特に撮像装置で撮像された顔面像をコンピュータとインクジェット印刷機を介して三次元顔面成形体に印刷するシステムにおいて、三次元顔面成形体に着実に印刷する方法とその印刷治具に関するものである。
【背景技術】
【０００２】  いわゆるプリクラ（登録商標）に親しんだ利用者が、更に立体プリクラに興味を示し、  これらの装置が開発されつつあり、例えば、下記の特許文献１，２で参照できるが、実用に供するまでには至っていないのが現状である。【０００３】
【特許文献１】  特開２００５−３１６号公報
【特許文献２】  特開２００４−３６２５４０号公報
【発明の開示】
【発明が解決しようとする課題】
【０００４】  前記せる特開２００５−３１６号公報では、立体的形状の成形体に写真画像を固着することによりオリジナルな写真画像付成形体を得るものであるが、キャラクター本体は立体的なものであるが写真画像被転写体は人の顔の写真が転写された平面的なものであった。【０００５】  前記の内容では顔面部が三次元顔面成形体になっておらず、実物に近い表情の三次元顔面成形体の相似形ならば、使用者に非常に興味をもたせることができるものである。【０００６】  また、前記せる特開２００４−３６２５４０号公報は、購入者の顔を類型化して近似した顔人形、髪型および胴体衣装部を人形キットとして提供する人形キット販売機に関するものであるが、装置及び操作が複雑で汎用的な用途としては問題があった。
【課題を解決するための手段】
【０００７】  撮像装置で撮像された顔面像をコンピュータとインクジェット印刷機を介して三次元顔面成形体に印刷するシステムにおいて、三次元顔面成形体の表面を微細な粗面に加工し、インクの密着性を向上することを特徴とし、三次元顔面成形体の成形用樹脂基材に０．０１乃至５０％のシリカ微粉末を混入して樹脂成形し、印刷に供することを特徴とし、三次元顔面成形体の顔形成型金型を微細な粗面として樹脂成形し、印刷に供することを特徴とする三次元顔面成形体印刷方法を提供する。【０００８】  または、撮像装置で撮像された顔面像をコンピュータとインクジェット印刷機を介して三次元顔面成形体に印刷するシステムにおいて、内面の突起部を治具に設置をし、該治具に三次元顔面成形体の下面突起部を挿入させることのできる三次元顔面成形体の印刷用治具を提供し、三次元顔面成形体の下面突起部は、治具部に突設した内面が孔部に、方向性を規制されてセッティングされるように構成したことを特徴とし、且つ、印刷された三次元顔面成形体を嵌着部に嵌着されたキャラクター本体の底部には凹部が形成されており、該凹部に印刷用治具の突起部が挿入されて、該キャラクターが印刷用治具の上部に固定載置されるように構成したことを特徴とする三次元顔面成形体の印刷用治具を提供する。
【発明の効果】
【０００９】  本発明の特許請求項１乃至３によれば、撮像装置で撮像された顔面像をコンピュータとインクジェット印刷機を介して三次元顔面成形体に印刷するシステムにおいて、三次元顔面成形体の表面を微細な粗面に加工しているので、インクの密着性を向上させることができる。【００１０】  また、本発明の特許請求項１乃至３によれば、撮像装置で撮像された顔面像をコンピュータとインクジェット印刷機を介して三次元顔面成形体に印刷するシステムにおいて、内面の突起部を治具に設置をし、該治具に三次元顔面成形体の下面突起部を挿入させることのできる三次元顔面成形体の印刷用治具を提供し、三次元顔面成形体の下面突起部は、治具に突設した内面の孔部に、方向性を規制されてセッティングされるように構成されているので、常に正しい位置に三次元顔面成形体をセッティングすることができるので、印刷ミスを生じることがない。また、キャラクターを印刷用治具の上部に固定載置させ、鑑賞できるようにすることもできる。
【発明を実施するための最良の形態】
【００１１】  図面において、図１は印刷用治具の斜視図である。図２は三次元顔面成形体をセットした印刷用治具の斜視図である。図３は三次元顔面成形体の正面図である。図４は三次元顔面成形体の平面図である。図５は三次元顔面成形体の側面図である。図６は撮像を印刷した三次元顔面成形体の正面図である。図７はキャラクター成形体の正面図である。図８はキャラクター成形体に三次元顔面成形体を嵌着し台座に固定した正面図である。【００１２】  請求項１乃至３によれば、撮像装置で撮像された顔面像をコンピュータとインクジェット印刷機を介して三次元顔面成形体に印刷するシステムにおいて、三次元顔面成形体２の表面を微細な粗面に加工しインクの密着性を向上することができる。そのため、三次元顔面成形体２の成形用樹脂基材に０．０１乃至５０％のシリカ微粉末を混入して樹脂成形して印刷に供することを特徴としている。【００１３】  また、三次元顔面成形体２の成形用顔型を微細な粗面（図示せず）として樹脂成形し、印刷に供することを特徴とする三次元顔面成形体印刷方法を提供している。【００１４】  図１乃至図５に基づいて相対的に説明することのできる本発明の三次元顔面成形体２の印刷用治具についての、実施例は次の通りである。【００１５】  撮像装置で撮像された顔面像をコンピュータとインクジェット印刷機を介して三次元顔面成形体に印刷するシステムにおいて、内面が非真円の筒体１２を治具中央平面部１１に突設し、該筒体１２に三次元顔面成形体２の下面の突起部２１を挿入させることのできる三次元顔面成形体２の印刷用治具を提供している。【００１６】  三次元顔面成形体２の下面の突起部２１は、治具中央平面部１１に突設した内面が非真円の筒体１２に、方向性を規制されてセッティングされるように構成されている。【００１７】  また、印刷された三次元顔面成形体２を嵌着部に嵌着されたキャラクター本体３の底部には凹部３２が形成されており、図５に示すように該凹部３２に印刷用治具１の筒体１２が挿入されて、該キャラクター本体３が印刷用治具１の上部に固定載置されて観賞できるように構成された三次元顔面成形体２の印刷用治具１が提供されている。なお、キャラクター本体３を定置するには印刷用治具１以外の台座（図示せず）を丸型や多角形に形成して意匠効果を演出することもできる。【００１８】  撮像を印刷した三次元顔面成形体２０をキャラクター本体の嵌着部３１に嵌着するとき図３に示す段差部２２が嵌着部３１に密着して嵌るので三次元顔面成形体２は嵌着部３１より容易に離脱することがない。【００１９】  印刷用治具１の側面に形成されている把握部１３は、三次元顔面成形体２の印刷をする時に印刷用治具１が機械に正確にセッティングし易くする為の把握部１３である。
【図面の簡単な説明】
【００２０】
【図１】印刷用治具の斜視図である。
【図２】三次元顔面成形体をセットした印刷用治具の斜視図である。
【図３】三次元顔面成形体の正面図である。
【図４】三次元顔面成形体の平面図である。
【図５】三次元顔面成形体の側面図である。
【図６】撮像を印刷した三次元顔面成形体の正面図である。
【図７】キャラクター成形体の正面図である。
【図８】キャラクター成形体に三次元顔面成形体を嵌着し台座に固定した正面図である。
【符号の説明】
【００２１】  １  印刷用治具
１１  治具中央平面部
１２  筒体
１３  把握部
２  三次元顔面成形体
２０  撮像を印刷した三次元顔面成形体
２１  突起部
２２  段差部
２３  セット方向規制部
３  キャラクター本体
３１  三次元顔面成形体嵌着部
３２  凹部
【図１】
2008062634.tif 000003
【図２】
2008062634.tif 000004
【図３】
2008062634.tif 000005
【図４】
2008062634.tif 000006
【図５】
2008062634.tif 000007
【図６】
2008062634.tif 000008
【図７】
2008062634.tif 000009
【図８】
2008062634.tif 000010